(57)【特許請求の範囲】
【請求項１】
照明と、対物レンズと、前記対物レンズを介して観察対象の試料を撮像する撮像素子とを有する装置を用いた欠陥観察方法であって、
前記対物レンズの焦点位置と前記試料との間の距離を少なくとも３つ選択し、選択した前記距離となるよう前記対物レンズ又は前記試料を移動させる光学条件変化ステップと、
選択した前記距離の各々にて、前記撮像素子で画像を撮像する撮像ステップと、少なくとも３枚撮像した前記画像の各々に含まれる前記試料の所定の位置の輝度を対象に前記距離を変化させたときの前記輝度の変化に基づいて、欠陥とラフネス散乱光由来のノイズとを判別する処理ステップと、を備えた欠陥観察方法。
【請求項２】
請求項１記載の欠陥観察方法であって，
さらに、該欠陥と判別された欠陥の確からしさを出力する出力ステップを備える欠陥観察方法。
【請求項３】
照明と、対物レンズと、前記対物レンズを介して観察対象の試料を撮像する撮像素子とを有する欠陥観察装置であって、
前記対物レンズの焦点位置と前記試料との間の距離を少なくとも３つ選択し、選択した前記距離となるよう前記対物レンズ又は前記試料を移動させる光学条件変化部と、
選択した前記距離の各々にて、前記撮像素子で画像を撮像する撮像部と、
少なくとも３枚撮像した前記画像の各々に含まれる前記試料の所定の位置の輝度を対象に前記距離を変化させたときの前記輝度の変化に基づいて、欠陥とラフネス散乱光由来のノイズとを判別する処理部と、を備えた欠陥観察装置。
【請求項４】
請求項３記載の欠陥観察装置であって，
さらに、該欠陥と判別された欠陥の確からしさを出力する出力部を備える欠陥観察装置。
【請求項５】
請求項３記載の欠陥観察装置であって，
前記処理部では検査レシピのパラメータ調整または該欠陥とラフネスとを判別するレシピ調整とを行うことを特徴とする欠陥観察装置。
【発明の詳細な説明】
【技術分野】
【０００１】
本発明は，欠陥検査装置で検出した試料表面，または表面近傍に存在する欠陥等を観察する欠陥観察方法及びその装置に関するものである。
【背景技術】
【０００２】
例えば，半導体デバイスの製造工程では，半導体基板(ウェハ)上に異物又はショートや断線などのパターン欠陥(以下，これらを総称して欠陥と記述する)が存在すると，配線の絶縁不良や短絡などの不良原因になる。また，ウェハ上に形成する回路パターンの微細化に伴い，より微細な欠陥がキャパシタの絶縁不良やゲート酸化膜などの破壊原因にもなる。これらの欠陥は，搬送装置の可動部から発生するものや，人体から発生するもの，プロセスガスによる処理装置の内部で反応生成されたもの，薬品や材料に混入していたものなど，種々の原因により種々の状態で混入される。このため，製造工程中で発生した欠陥を検出し，欠陥の発生源をいち早く突き止め，不良の作り込みを食い止めることが半導体デバイスを量産する上で重要になる。
【０００３】
従来，欠陥の発生原因を追究する方法には，まず，欠陥検査装置で欠陥位置を特定し，SEM(Scanning Electron Microscope:走査型電子顕微鏡)等のレビュー装置で該欠陥を詳細に観察及び分類し，製造の各工程で取得した検査結果を保存したデータベースと比較して欠陥の発生原因を推定する方法があった。
【０００４】
ここで，欠陥検査装置とは，半導体基板の表面をレーザで照明し，欠陥からの散乱光を暗視野観察して欠陥の位置を特定する光学式欠陥検査装置や，ランプ又はレーザ，または電子線を照射して，半導体基板の明視野光学像を検出して，これを参照情報と比較することにより半導体基板上の欠陥位置を特定する光学式外観検査装置やSEM式検査装置である。
【０００５】
また，他の検査装置で検出した試料上の欠陥の位置情報を用いてSEM式欠陥観察装置に装着された光学顕微鏡で試料上の位置を検出して他の検査装置で検出して得た欠陥の位置情報を修正した上でSEM式の欠陥観察装置で欠陥を詳細に観察（レビュー）する方法がある。
【０００６】
また，特許文献１には，検出光学系の瞳面上もしくはその近傍に空間的に分布を持ったフィルタを配置することによる暗視野式光学顕微鏡の高感度化について記載されている。
【０００７】
また，異なる光学条件で取得した画像を合成することで得たノイズが抑制された画像を用いることによる高感度化方法がある。
【先行技術文献】
【特許文献】
【０００８】
【特許文献１】特開２０１１−１０６９７４号公報
【発明の概要】
【発明が解決しようとする課題】
【０００９】
近年のLSI製造においては、高集積化のニーズに対応した回路パターンの微細化により、対象となる欠陥も微細化している。これに対応して、光学式欠陥検査装置の検出すべき欠陥寸法も微細化が求められている。照明波長よりも十分小さな物体での散乱は，レイリー散乱であり，散乱体の粒子径の6乗に比例するため，測定対象の欠陥サイズが縮小するに連れ欠陥散乱光は急激に減少し，ノイズに埋もれてしまう恐れがある。欠陥検出を妨げるノイズ原因としては，試料表面ラフネスからの散乱光，スペックルノイズや熱ノイズを含むセンサ・回路起因ノイズがある。そのため，センサ・回路起因ノイズに対して欠陥散乱光量が十分に確保できるよう高強度照明を使用し，蓄積時間を長くしても，微小粒子からの散乱光はラフネス散乱光に埋もれてしまい検出できない。
【００１０】
ラフネス散乱光から欠陥散乱光を分離させる方法として，散乱光の偏光強度分布の違いを利用し，瞳面上に配置したフィルタ(マスクや偏光子，波長板)により欠陥散乱光を選択的に透過し，ラフネス散乱光を除去する方法がある(特許文献１)。しかし，更なる高感度化のためには，欠陥散乱光とラフネス散乱光のフィルタ透過率差を大きくする必要があり，フィルタ透過条件(散乱方向や偏光)が厳しくなる。結果，欠陥散乱光のラフネス散乱光に対する比率は高くなるが，欠陥散乱光のフィルタ透過率が低下することで，センサ・回路起因ノイズの影響が大きくなり，欠陥を顕在化できなくなる。
【００１１】
センサで捕集される欠陥散乱光量を上げるため，照明波長の短波長化や検出レンズの高NA化(NA: Numerical Aperture)などが行われている。しかし，照明波長短波長化には技術，装置コスト的に限界がある。検出レンズの高NA化方法としては，液浸や屈折率が負のメタマテリアルなどがあるが，液浸は半導体検査において使用は難しく、またメタマテリアルは、まだ技術的に実用化は困難である。
【００１２】
瞳面上のフィルタリング技術以外に，欠陥散乱光とラフネス散乱光を分離し，欠陥を顕在化する技術が必要とされている。
特許文献1には，複数枚画像を用いた欠陥の顕在化方法，については記載されていない。
【課題を解決するための手段】
【００１３】
上記した課題を解決するために、本発明では、照射条件または試料の条件または検出条件のうち少なくとも一つの条件のみを変化させた異なる複数の光学条件にて該試料を照射し該試料からの複数の光を検出する光取得ステップと、該検出した複数の光に基づく複数の信号を取得する信号取得ステップと、該複数の信号を用いて作成した波形特徴量または画像特徴量または値特徴量により、欠陥とノイズとを判別し、該欠陥の座標を求める処理ステップと、を備えた欠陥観察方法及びその装置を提供する。
【発明の効果】
【００１４】
本発明によれば、スループットを向上した欠陥観察方法およびその装置を提供することができる。
【図面の簡単な説明】
【００１５】
【図１】本発明の実施形態における光学顕微鏡の構成例を示す構成図である。
【図２】本発明の実施形態において取得される画像の例を説明した図である。
【図３】本発明の実施形態において，光学検査装置で欠陥座標を導出する手順の例を説明するフロー図である。
【図４】欠陥散乱光とラフネス散乱光の偏光強度分布例を説明する図である。
【図５】本発明の実施形態における波形特徴量の例を説明した図である。
【図６】本発明の実施形態において，欠陥とノイズを弁別する手順例を説明するフロー図である。
【図７】欠陥散乱光の高さ変動による信号値変化を説明した図である。
【図８】本発明の実施形態における欠陥とラフネスの弁別例を説明する図である。
【図９】本発明の実施形態における欠陥とラフネスの弁別例を説明する図である。
【図１０】本発明の実施形態において，試料上の同一箇所を特定する手順例を説明したフロー図である。
【図１１】本発明の実施形態における欠陥観察装置の構成例を示す構成図である。
【図１２】本発明の実施形態において，欠陥観察装置で欠陥を観察する手順の例を説明するフロー図である。
【発明を実施するための形態】
【００１６】
本発明は，暗視野光学顕微鏡を用いて欠陥を検出する際に，微細な欠陥を高速に検出することを可能にする欠陥検出方法及びその装置並びにこの欠陥検出装置を用いて他の検査装置で検出した欠陥を観察する方法及びその装置に関するものである。
【００１７】
以下に，図を用いて本発明の実施例を説明する。
【実施例１】
【００１８】
まず，本発明による暗視野光学顕微鏡を用いた欠陥検出装置１００の実施例を，図１を用いて説明する。
【００１９】
図１に示した本実施例による欠陥検査装置１００は，光学顕微鏡１０５，信号処理部２２１，画像表示部２２２，信号記憶部２２３，制御部２２４を備えて構成される。制御部２２４は，図示していない通信手段で外部のデータ処理装置と接続されている。
【００２０】
光学顕微鏡１０５は，照明ユニット２０１，試料１０１よりの散乱光を採光するまたは明視野観察をする為の対物レンズ２０２，対物レンズの高さ制御機構２０９，明視野観察に必要な照明を導入するハーフミラー２１４，照明レンズ２１３，明視野光源２１２，対物レンズ２０２により採光された散乱光による試料１０１の像を撮像素子２０７へ結像させる結像光学系２１０，撮像素子２０７，撮像素子２０７で得られた信号を処理する信号処理部２２１，信号処理部で得られた信号を表示する画像表示部２２２，信号処理部で得られた信号を保存する信号記憶部２２３を適宜用いて構成されている。加えて，結像光学系２１０は，空間分布光学素子(フィルタ)２０５及び空間分布光学素子切り替え機構２０８を適宜備えて構成されている。信号処理部は，取得データを処理する手段２２１Ａと，ライブラリに保存されている以前取得した保存データを参照，比較し，処理する手段２２１Ｂによって構成される。
【００２１】
明視野光源２１２はランプ，又はレーザを用いることができる。レーザを用いる場合は，集光レンズ２１３はなくてもよく，ハーフミラー２１４をダイクロイックミラーへ交換することにより，照明を明るくし，より多くの散乱光を撮像素子２０７へ導くことができる。
【００２２】
ハーフミラー２１４の反射と透過の比率は任意でよい。ただし，明視野光源２１２の光強度が十分確保される場合は，欠陥からの散乱光をより多く結像光学系２１０及び撮像素子２０７へ導く構成とする方が望ましく，可動式として明視野照明ユニットを使用しない場合には光軸３０１から外せるようにしても構わない。その場合はより多くの散乱光を撮像素子２０７へ導ける利点がある。
【００２３】
照明光学系ユニット２０１は，光源２０１１，光源２０１１より照射される光線を試料１０１上に集光照射するための集光レンズを適宜用いて構成される。
【００２４】
高さ制御機構２０９の構成としては，例えばピエゾ素子を用いて移動させる構成，又は，ステッピングモータとボールネジを用いてリニアガイドに沿ってＺ方向（結像光学系２１０の光軸３０１に沿った方向）へ移動させる構成，又は，超音波モータとボールネジを用いてリニアガイドに沿ってＺ方向へ移動させる構成などを用いることが出来る。
撮像素子２０７の配置は試料表面と共役位置もしくは対物レンズの瞳面と共役位置でもよい。結像光学系２１０は，対物レンズ２０２の瞳面３０２を取り出すレンズ２０３，２０４，試料１０１の像を撮像素子２０７上に結像させる結像レンズ２０６，レンズ２０３と２０４で取り出された対物レンズ２０２の瞳面３０３もしくは瞳面近傍に挿入するフィルタ２０５を適宜用いて構成される。
【００２５】
本実施例においては，特性の異なるフィルタ２０５を複数保持し，切り替え可能なフィルタホルダ２０８を瞳面３０３もしくは瞳面近傍に挿入した構成としている。また，フィルタ２０５は，結像光学系２１０の光軸３０１上に配置しなくても良い。  
また，撮像素子２０７は画像処理部２２１と接続されている。
【００２６】
レンズ２０３，２０４は対物レンズ２０２の瞳面３０２を外部へ引き出して結像光学系２１０の内部に形成する為に用いる。
【００２７】
また，フィルタホルダ２０８は駆動することができ，結像光学系２１０の内部に取り出した瞳面３０３上にフィルタホルダ２０８で保持する複数のフィルタ２０５の中から選択したフィルタ２０５を挿入する。
【００２８】
また，フィルタホルダ２０８は，明視野観察をする場合もしくはフィルタ２０５を使用しない場合には，取得画像が乱れることを回避する為にフィルタホルダ２０８の位置をフィルタ２０５が設置されていない場所に設定して観察する。又は，フィルタホルダ２０８にフィルタ２０５と同厚の平行平板ガラスを設置した場所へ切り替える。フィルタ２０５と同厚の平行平板ガラスを設置するのは，フィルタ２０５を外すと光路長が変化して撮像素子２０７に試料１０１の像が結像しなくなることを回避するためである。又は，平行平板ガラスを設置せず，像を結像させる結像レンズ２０６又は撮像素子２０７の位置を調整し，撮像素子２０７に結像させる機構を用いても良い。
【００２９】
本実施例においては，対物レンズ２０２，レンズ２０３，２０４と結像レンズ２０６は４個１組で，試料１０１の像を撮像素子２０７の検出面上へそれぞれ結像させる。本実施例においては，対物レンズ２０２と結像レンズ２０６以外に，レンズ２０３，２０４のレンズ２枚を使用する結像光学系２１０になっているがレンズ２０３，２０４はどちらか１枚でも良く，適宜選択可能である。本実施例においては，図１に示した構成において，対物レンズ２０２の瞳面３０２を，レンズ２０３，２０４を用い瞳面３０３に結像している。しかし，瞳面３０２にフィルタを配置可能な対物レンズ２０２を使用する場合，または，直線偏光検出のようにフィルタ２０５を瞳面３０２，もしくは瞳面３０３もしくは瞳面近傍に配置する必要のないフィルタを使用する場合は，レンズ２０３，２０４を使用せず，対物レンズ２０２，結像レンズ２０６を用い，撮像素子２０７上に結像しても良い。
【００３０】
次に，図２を用い，欠陥検出を妨げる暗視野画像中のラフネス散乱光について説明する。暗視野画像３５５は，数十nmサイズの欠陥周辺の散乱光を結像した暗視野画像である。図２中の輝点３５１は欠陥の散乱光像，それ以外の輝点３５４はラフネスからの散乱光像である。欠陥からの散乱光像は，照明光(電磁波)によって欠陥自体が振られ分極することにより発生した電磁波の像であり，欠陥散乱光は欠陥からのみ発生している。一方，ラフネスからの散乱光像は，照明の照射領域全域の数Aサイズの表面凹凸が分極することで生じた散乱光が干渉して生じたスペックルパターン像である。そのため，照明入射角や偏光などの光学条件に対して非常に敏感にパターンが変化する。
【００３１】
微小な欠陥からの散乱光は，ラフネス散乱光像よりも安定である。そのため，光学条件を変えて取得した複数枚の画像の積や和を取ることでスペックルパターンを抑制した画像を合成し，その合成画像を用い欠陥検出を行う。しかし，極微小な欠陥は光学条件に敏感であるため，光学条件を変えることでラフネス由来のスペックルパターンと同様に欠陥散乱光の輝点が消失してしまう恐れがある。また，光学条件の変化が極僅かである場合，変化させたいラフネス由来のスペックルパターンもほとんど変化せず，画像を合成したとしても，スペックルパターンに埋もれた欠陥を顕在化させることが難しい。ただし，欠陥散乱光像とラフネス散乱光由来のスペックルパターン像では，光学条件の変化に対する敏感さは異なる。
【００３２】
そこで，本発明は，光学条件を連続的に変化させ取得した複数の異なる光学条件における画像を用い，各画像から得られる特徴量の画像間での相対変化を導出し，その特徴量の相対変化を用い欠陥散乱光とラフネス散乱光を弁別し，欠陥を顕在化し，欠陥座標を導出する方法を開示する。
【００３３】
連続的に光学条件を変化させた複数枚画像を用いた欠陥座標導出処理フロー例を，図３を用い説明する。
【００３４】
まず，試料１０１上の測定対象領域を光学顕微鏡１０５の視野に入るようにステージ１０３を移動させる（Ｓｔｅｐ６２０１）。次に，高さ制御機構２０９にて対物レンズ２０２を移動させて焦点合わせを行う（Ｓｔｅｐ６２０２）。次に，光学顕微鏡１０５の撮像素子２０７にて画像を取得する（Ｓｔｅｐ６２０３）。欠陥とノイズを弁別する処理に必要なＮ枚の画像を取得していなければ（Ｓｔｅｐ６２０４−ＮＯ），光学条件を変化させ（Ｓｔｅｐ６２０５），光学顕微鏡１０５の撮像素子２０７にて画像を取得する（Ｓｔｅｐ６２０３）。これを必要なＮ枚の画像を取得するまで続ける。光学条件を変化させた画像をＮ枚取得したら（Ｓｔｅｐ６２０４−ＹＥＳ），Ｎ枚の画像を用い画像間特徴量を導出し（Ｓｔｅｐ６２０６），導出した画像間特徴量を用い，欠陥とラフネスを弁別し（Ｓｔｅｐ６２０７），弁別した欠陥の座標を導出する（Ｓｔｅｐ６２０８）。
【００３５】
変化させる光学条件としては，対物レンズ焦点位置と試料間距離（以下，「高さ」と称する），ステージ位置，などの空間的条件，照明波長や偏光，方位角，入射角などの照明条件，検出波長，偏光，瞳フィルタの光学特性，センサ位置，センサ感度，蓄積時間などの検出条件が考えられる。これら複数の光学条件のうちいずれかのパラメータを変化させることで連続的に光学条件を変化させることができる。例えば，画像取得時に変化させる光学条件として高さを選択した場合，ステージ１０３を上下に移動する，もしくは高さ制御機構２０９を用い対物レンズ２０２を上下に移動させる方法がある。
【００３６】
照明偏光を変化させる場合は，照明光学系の光路上に配置した1/2波長板を光軸に対して垂直方向に回転させる方法がある。検出偏光を変える場合は，検出光学系の光路上に配置した偏光子もしくは偏光ビームスプリッタを光軸に対して垂直方向に回転させる方法がある。瞳フィルタとは，特許文献１に記載されているラフネス散乱光に対する欠陥散乱光の比を高めるための光学フィルタのことであり，光学特性の異なる瞳フィルタを切り替えることで，異なる光学条件で画像を取得する方法もある。また，光学条件の変化量，変化方向は，処理部２２１で選択，制御される。
【００３７】
光学条件を連続的に変化させ，複数枚の画像を取得する際に，変化させる光学条件の範囲は，少なくとも2枚の画像において欠陥散乱光が消失しない範囲であることが必要である。これは，欠陥散乱光とラフネス散乱光の輝点の相対変化を追う必要があるためである。例えば，光学条件を変え2枚の画像を取得した際，1条件において欠陥散乱光由来の輝点があり，もう1条件では欠陥散乱光由来の輝点がない場合，ラフネス散乱光由来の輝点で同様の変化をしているものと弁別することができない。
【００３８】
また，1条件において存在するラフネス散乱光由来の輝点は，もう1条件において，消失しても，しなくても良いし，ウェハ上の別の座標に新しく発生しても良い。また，異なる光学条件で取得した複数枚の画像の中で，少なくとも2枚の画像において欠陥散乱光の輝点が存在していれば，残りの画像においては欠陥散乱光の輝点が消失していても良い。欠陥散乱光由来の輝点が存在する光学条件範囲も欠陥とラフネスを弁別するためのパラメータの一つと成りうる。
【００３９】
例えば，変化させる光学条件に高さを選択した場合，変化させる範囲としては，検出光学系の焦点深度内で欠陥散乱光由来の輝点が消失しない，少なくとも2条件の高さを含む変化範囲で画像を取得する。照明強度密度が同じ場合，検出光学系の焦点深度内であれば，欠陥散乱光由来の輝点の強度はほとんど変化しない。一方，ラフネス散乱光由来の起点の強度は変化する。検出光学系の焦点深度内で少なくとも2条件(2つの異なる高さ)で画像を取得していれば，その他の画像は，検出光学系の焦点深度外で取得しても構わない。検出光学系の焦点深度範囲から大きく高さを変化させても，同一箇所に輝点が存在する場合，例えばセンサ起因ノイズと考えられる。
【００４０】
次に，画像を取得する際，画像間の光学条件変化量について，図４を用い説明する。図４は，直径１８ｎｍの欠陥からの散乱光とラフネス散乱光の各偏光成分の強度例を示す。いずれも散乱半球を上方に投影した図である。画像３６１はラフネスからの散乱光，画像３６２は欠陥からの散乱光で，上図はX偏光の強度分布，下図はY偏光の強度分布をそれぞれ示している。図中の線３１２は照明の入射方向，軸３０７は照明の入射面，領域３０８は強度の強い部分，領域３０９は強度のやや強い部分，領域３１０は強度のやや弱い領域，領域３１１は強度の弱い領域をそれぞれ示している。この時，X偏光とY偏光の2条件とそれを補間する偏光方向も含めた複数の検出偏光条件で画像を取得する。
【００４１】
図４では，ラフネス散乱光からの散乱光量はY偏光に比べX偏光の方が強い。このため，X偏光，Y偏光の2つの光学条件で取得した画像のみを用いスペックルパターンの除去及び欠陥の顕在化を図った場合，Y偏光では存在した欠陥由来の輝点が，X偏光では消失してしまい，上記の2画像を合成した際，スペックルパターンだけでなく，欠陥散乱光も取り除かれてしまうおそれがある。また，画像間の光学条件の変化が小さい場合について説明する。ラフネス散乱光由来の輝点は，ラフネス表面の凹凸形状の空間周波数の低周波成分と高周波成分の組み合わせでできている。そのため，同じラフネス散乱光由来の輝点の中に，光学条件変化に強い輝点と，光学条件変化弱い輝点が存在する。そのため，画像間の光学条件変化が小さい場合，欠陥由来の散乱光と，ラフネス由来の光学条件変化に強い散乱光とを弁別することが出来ない。
【００４２】
そこで，X偏光検出，Y偏光検出だけでなく，X偏光とY偏光を補間する偏光条件で取得した暗視野画像を使用し，画像間での例えば輝度などの特徴量変化を追うことで，欠陥を顕在化することが必要である。
【００４３】
画像取得時には，画像取得枚数，画像間の光学条件変化量(ピッチ)，最大の光学条件変化量，変化させる光学条件などの，画像間の光学条件の変化パラメータを予め決定している必要がある。以下に，上記光学条件の変化パラメータの決定方法例について述べる。試料上に散布された標準粒子や，実欠陥などを用い，光学条件を変化させ暗視野画像を取得し，光学条件変化に対する変化量や変化傾向を導出し，装置固有のパラメータとして保存しておく方法や，検査対象試料を用い，光学条件を変化させ暗視野画像を取得し，光学条件変化に対して，ラフネス散乱光像が十分変化する光学条件変化パラメータを導出し，光学条件変化パラメータを決定する方法などが考えられる。
【００４４】
光学条件変化に対する欠陥散乱光像の変化は，光学条件の変化範囲，変化量，欠陥条件（大きさ，種類，形状，照明入射方向に対する向きなど），及び装置によって決まる。そこで，考えうる光学条件の変化範囲，変化量，欠陥条件において標準サンプルを用い暗視野画像を取得し，予め装置固有の光学条件変化パラメータを取得しておくことが有効である。また，全ての考えうる光学条件や検出対象の欠陥条件の標準サンプルでの暗視野画像を取得する必要はなく，装置構成及び検出光学系の収差情報と散乱シミュレーションを用い，計算によって，光学条件変化パラメータを導出しても良い。
【００４５】
また，ラフネス散乱光像が十分変化するような光学条件変化パラメータを使用する場合は，考えうる観察対象試料において，光学条件パラメータを変化させ暗視野画像を複数枚取得し，取得画像から光学条件変化パラメータを決定し，予め装置固有のパラメータとして保存しておく方法と，実際の検査時に，検査対象サンプルを用い，光学条件を変え暗視野画像を取得し，取得した画像から光学条件変化パラメータを決定しても良い。
【００４６】
また，SEM観察結果を用い，光学条件の変化パラメータへフィードバックすることで，条件の最適化を行うことも考えられる。例えば，初期に設定した光学条件変化パラメータで取得した複数の暗視野画像で導出した欠陥候補をSEMで観察した際の正答率が低い場合は，欠陥散乱光とラフネス散乱光の光学条件変化に対する挙動が類似していることから，取得画像の光学条件範囲の拡大や取得枚数の増加などを行うことが考えられる。他には，変化させる光学条件モードを弁別に有利な別の光学条件に変更することが考えられる。
【００４７】
画像間特徴量及び欠陥とノイズの弁別方法について，以下に述べる。  
画像間特徴量は，複数画像から抽出した画像間の光学条件変化を含む，画像特徴量もしくは波形特徴量もしくは，値特徴量，もしくはそれらの組み合わせである。画像特徴量は2次元(面)上に値を持つ3次元データから成る特徴量であり，波形特徴量は1次元(線)上に値を持つ2次元データから成る特徴量であり，値特徴量は，点上に値を持つ1次元データからなる特徴量である。
【００４８】
図５は，波形特徴量の一例を示している。異なる光学条件で取得した暗視野画像３５５Ａ，３５５Ｂ，３５５Ｃから，試料上の同一領域３６３Ａ，３６３Ｂ，３６３Ｃを切り出し，各画像切り出し領域３６３の各ピクセル３６４の出力値を一列につなげた波形信号３６５を画像間特徴量としても良い。図５では，３枚の画像を用いているが，使用する暗視野画像の枚数はその限りではない。また，切り出し領域３６３Ａ，３６３Ｂ，３６３Ｃを，波形にせず画像特徴量としても良い。他にも切り出し領域３６３をフーリエ変換した２次元画像を画像特徴量としてもよいし，切り出し領域３６３のフーリエ変換画像を直列に並べ，波形特徴量としても良い。
【００４９】
値特徴量としては，例えば，取得した暗視野画像３５５の切り出し領域３６３内で，輝度がしきい値以上の明るい領域の，面積や形状，領域の輝度重心，平均輝度，特徴量の分布などを値特徴量としても良い。また，値特徴量の光学条件間での相対変化を波形特徴量として使用してもいい。同様に，波形特徴量の光学条件間での相対変化を並列に並べ画像特徴量としてもよいし，図５のように直列に並べ波形特徴量としても良い。また，波形特徴量中のある領域範囲で最大の特徴量をとる点の座標や特徴量を輝点特徴量としても良い。また，上記では取得した暗視野画像３５５の切り出し領域３６３を使用した例を述べたが，切り出し領域３６３は暗視野画像３５５であってもよい。
【００５０】
上記の画像間特徴量を用い欠陥とラフネス散乱光を含むノイズを弁別する。弁別方法としては，画像間特徴量のパターンマッチングや，特徴量空間において欠陥とノイズを弁別する弁別境界を用いる方法などがある。
【００５１】
マッチングパターンや弁別境界の設定方法は，予め標準サンプルを用いて取得した暗視野画像を使用して設定する方法が考えられる。試料上に散布された標準粒子や，実欠陥などを用い，光学条件を変化させ暗視野画像を取得し，欠陥パターンや，弁別境界を導出し，装置固有のパラメータとして保存しておく方法が考えられる。光学条件変化に対する欠陥散乱光像の変化は，光学条件の変化範囲，変化量，欠陥条件（大きさ，種類，形状，照明入射方向に対する向きなど），及び装置によって決まる。そこで，考えうる光学条件の変化範囲，変化量，欠陥条件において標準サンプルを用い暗視野画像を取得し，予め装置ごとに欠陥パターンや，弁別境界を取得しておくことが有効である。
【００５２】
また，全ての考えうる光学条件や検出対象の欠陥条件の標準サンプルでの暗視野画像を取得する必要はなく，装置構成及び検出光学系の収差情報と散乱シミュレーションを用い，計算によって，欠陥パターンや，弁別境界を導出しても良い。また，SEM観察結果を用い，欠陥パターンや，弁別境界へフィードバックすることで，欠陥パターンの最適化や弁別境界の最適化を行うことも考えられる。これを行うことで，弁別の精度が向上する。SEM観察結果を用いた欠陥パターンや弁別境界の最適化に関しては，別途，図１２で述べる。
【００５３】
また，光学条件変化に対する，欠陥種の違いによる特徴量変化が小さい場合，特定の標準粒子(例えばポリスチレン球など)や測定対象試料上に存在するラフネス散乱光に埋もれない欠陥を用い，欠陥パターンや弁別境界を導出しても良い。光学条件変化に対する，欠陥種の違いによる特徴量変化が大きい場合，複数の欠陥条件で取得した複数の欠陥パラメータや弁別境界を使用しても良い。検出したい欠陥種に合わせて，検出したい欠陥種とそれ以外を弁別するのに有利な欠陥パターンや弁別境界を用いてもよい。また，欠陥検査装置などを用い予め取得された検査出力データを用い，有利な弁別方法を選択しても良い。
【００５４】
光学条件に対する画像間での特徴量変化が小さい光学条件としては，空間変位が考えられる。例えば，検出光学系の光軸に対して垂直な方向（水平方向）への変位であれば，視野内の照明強度が均一である場合，光学条件変化による欠陥輝度値の欠陥種ごとの変化の違いはない。この場合，光学条件変化に対して信号値変化がほぼ一定であるものを欠陥と判定することができる。
【００５５】
次に，変化させる光学条件として，高さを選択した場合について述べる。欠陥の高さ変化時に，欠陥散乱光像を変化させる要因としては，検出光学系の収差や検出光学系の光軸に対する高さ変位方向のズレなどが考えられる。検出光学系の収差の影響がほとんど無視出来る検出光学系かつ，欠検出光学系の光軸に対する高さ変位方向のズレによる欠陥散乱光像の移動がある場合，欠陥散乱光像の変化に欠陥条件毎の違いはない。そのため，標準粒子や検査対象試料上に存在するラフネス散乱光に埋もれていない欠陥散乱光像を用い，マッチングパターンや弁別境界を決定しても良い。検出光学系の収差の影響が大きく，欠陥種毎に画像間特徴量が大きく異なる場合は，欠陥条件毎の複数マッチングパターンや複数の弁別境界を使用してもよい。
【００５６】
また，欠陥検査装置などを用い予め取得された検査出力データを用い，有利な弁別方法を選択しても良い。例えば，検査出力データに含まれる欠陥サイズデータを使用し，欠陥の大きさ毎に異なるマッチングパターンや弁別境界を使用する方法がある。
【００５７】
上記の方法で，欠陥散乱光とノイズを弁別し，欠陥と判定された領域毎に欠陥座標と欠陥らしさ値を導出する。欠陥座標としては，欠陥領域の輝度重心や領域最大値などを使用することが考えられるが，その限りではない。欠陥らしさ値は，欠陥と判定した欠陥候補が欠陥である確率を示している。例えば，特徴量空間における欠陥とノイズの弁別境界から対象領域の画像特徴量までの距離などを欠陥らしさ値として使用することが考えられる。
【００５８】
また，人の視覚に欠陥形状，大きさ，明るさなどを印象づけるために暗視野画像を出力する場合，欠陥と判定された領域の出力値を強調した暗視野風画像を出力しても良い。強調方法としては，欠陥と判定された領域以外の輝度値に0以上1以下のゲインをかける方法などが考えられる。
【００５９】
次に，上述した方法を用い，光学条件を変化させ取得した複数枚画像から得られた欠陥候補である輝点を，欠陥とノイズに弁別する処理フロー例について，図６を用い説明する。
【００６０】
まず，光学顕微鏡１０５と撮像素子２０７を用い，試料１０１上の測定対象領域を，異なる光学条件で，複数枚の画像を取得する（Ｓｔｅｐ６２０９）。次に，取得した画像の任意の1枚を用い欠陥候補を抽出する（Ｓｔｅｐ６２１０）。次に，該任意の1枚の画像を用い抽出した欠陥候補の輝点の，画像間での相対変化量を導出する（Ｓｔｅｐ６２１１）。各欠陥候補で得られた画像間相対変化量を，ライブラリ中に既に保存されている欠陥の画像間相対変化量もしくはノイズの画像間相対変化量と比較し，欠陥候補の輝点を欠陥とノイズに弁別する（Ｓｔｅｐ６２１２）。そして，欠陥に弁別された欠陥候補の座標を導出する（Ｓｔｅｐ６２１３）。
【００６１】
次に，欠陥座標導出例として変化させる光学条件として高さを選択した場合と，検出偏光方向を選択した場合について述べる。
【００６２】
変化する光学条件として高さを選択した場合の例について，図７と図８を用い説明する。高さを変化させる方法としては，対物レンズの高さを変化させる方法や，ステージを高さ方向に変位させる方法が考えられる。図７は高さを変化させた場合の欠陥散乱光からの信号変化例である。波形３６６Ａ，３６６Ｂはそれぞれ異なる高さで取得した暗視野画像から抽出した波形である。異なる高さで取得した複数の波形３６６は，図７に示すように欠陥散乱光の輝度値は高さ変化に対して，正規分布に近い変化をもっている。
【００６３】
一方，ラフネス散乱光は，その限りではなく，様々に変化する。高さ変化に対する，輝度値の変化傾向から，欠陥散乱光を特定することができる。また，上述したように，高さ変動時の輝点の位置変化を用い，欠陥とラフネスを弁別することも可能である。検出光学系の収差の影響が小さな検出光学系の場合，高さを変えても欠陥の輝度重心はほとんど変化しないが，ラフネスはその限りではない。この時の，高さを変え取得した3枚の画像における輝点の移動方向及び移動量（画像３６８）の例を図８に示す。画像３６７は欠陥散乱光像，画像３６８はラフネス散乱光像由来の輝点をそれぞれ示している。
【００６４】
欠陥散乱光像は，画像３６７に示すように規則性のある動きをする一方で，画像３６８に示すようにラフネス散乱光像は様々な動きをする。例えば，画像３６８Ａ，画像３６８Ｃ，画像３６８Ｄのように，欠陥散乱光像の画像３６７とは異なる動きをする場合や，画像３６８Ｂのように輝点が一部の高さ条件において消失してしまう場合がある。また，収差のある検出光学系において，欠陥散乱光像は，高さ変化によって位置や形状変化が生じうるが，その位置の変化方向や変化量，形状変化傾向は，欠陥条件によって決まっているが，ラフネスの場合はその限りではない。
【００６５】
変化する光学条件として検出偏光を選択した場合の例について，図９を用い説明する。  
検出偏光を変化させる方法としては，検出光学系の光軸上に配置された直線偏光子を連続的に回転させる方法が考えられる。取得する光学条件は，X偏光とY偏光，そしてX偏光とY偏光を補間する偏光方向を含む複数の光学条件である。
【００６６】
図９は，X偏光（線３６９Ａ），Y偏光（線３６９Ｃ）と，X偏光とY偏光を補間する偏光方向３条件（線３６９Ｂ）で取得した暗視野画像における輝度変化例をプロットした図である。線３７０Ａは微小な異物からの散乱光像の輝度変化を示している。微小な異物からの散乱光は，ラジアル偏光が主成分であるため，直線偏光検出時，その検出偏光方向にほとんどよらずほぼ一定である。線３７０Ｂ，３７０Ｃは，微小異物以外の欠陥からの散乱光像の輝度変化例を示している。
【００６７】
線３７０Ｂ，３７０Ｃに示すように欠陥散乱光は，光学条件変化に対して規則性のある動きをするが，ラフネス散乱光像は線３７１に示すように規則性が無く，様々な動きをする。この違いを利用し，ラフネス散乱光と欠陥散乱光を弁別することができる。また，図９においては，X偏光（線３６９Ａ）とY偏光（線３６９Ｃ）の2条件で取得した画像飲みを使用した場合，欠陥散乱光３７０Ａとラフネス散乱光３７１を弁別することはできない。2条件の間を補間する光学条件３６９Ｂで取得した暗視野画像を用いることで，弁別精度を上げることができる。
【００６８】
以上のように，光学条件の一部を変化させたそれぞれの光学条件にて取得した欠陥散乱光とラフネス散乱光の画像間特徴量変化から，欠陥とラフネスを弁別することが可能である。上記の弁別方法は具体例であり，弁別方法は上記に方法に限らない。
【００６９】
次に，画像間特徴量を導出する際の試料上の同一箇所を特定する位置合わせについて述べる。変化させる光学条件によって視野にずれが生じない場合は，位置合わせは不要であるが，変化させる光学条件によって視野にずれが生じる場合，画像間で位置合わせをする必要がある。視野ズレが生じない光学条件としては，照明強度や照明偏光，照明入射角などの照明光学系に関連する光学条件がある。視野ズレが生じうる光学条件としては，高さや水平方向への変位などの空間変位，検出偏光などの検出光学系関連の光学条件がある。視野内にパターンが存在する場合は，パターンを用いた位置合わせを行えばよい。また，視野内にパターンが存在しない場合，またはパターン無しウェハの場合は，予め標準粒子や標準パターンを用い，光学条件変化に対する視野の位置ずれ量を計測し，装置固有のパラメータとして保存しておく方法が考えられる。
【００７０】
他の方法としては，検出対象試料の対象領域を用い，その都度視野ずれ量を導出し，試料上の同一箇所を特定する方法がある。この時，検出対象試料上に存在するラフネス散乱光に埋もれない欠陥の移動量から視野ズレ量を導出する方法，もしくは，ラフネス散乱光分布を用い視野ずれ量を導出する方法がある。
【００７１】
ラフネス散乱光分布を用いる場合，正規化相関（数１）などを用い位置合わせをする方法が考えられる。ラフネス散乱光像には，光学条件の変化に対し，敏感に変化する成分と，鈍感な成分が存在する。この光学条件の変化に対し鈍感な成分を用い，位置合わせが可能である。
【００７２】
【数１】
0006369860.tif 000002
【００７３】
ラフネス散乱光分布を用い位置合わせを行う方法は，観察対象領域を用い位置合わせをするため再現性のない視野ずれ量の場合においても高い位置合わせ精度が実現できるという利点と位置合わせ可能なパターンやラフネス散乱光に埋もれない欠陥が観察対象領域の近傍に存在しない場合でも，高精度な位置合わせが可能である点にある。
【００７４】
図１０に正規化相関を用いた位置合わせ方法例について説明する。光学条件の異なるＮ枚の画像を取得する（Ｓｔｅｐ６１０１，Ｓｔｅｐ６１０２，Ｓｔｅｐ６１０３）。Ｎ枚の画像を取得し（Ｓｔｅｐ６１０２−ＹＥＳ），Ｎ毎画像中の１枚を基準画像とし，基準画像中で位置合わせを行いたい領域を含む領域を選択し（Ｓｔｅｐ６１０４），基準画像以外の画像において，Ｓｔｅｐ６１０４で選択した領域と正規化相関値（数１）を導出（Ｓｔｅｐ６１０５），各画像で正規化相関値が最大となる場所を導出する（Ｓｔｅｐ６１０６）。正規化相関値が最大となる領域が，Ｓｔｅｐ６１０４で選択した領域と同じ試料上の領域の画像である。
【００７５】
他にも，差分を用いる方法が考えられる。また，位置合わせに使用する画像として，取得した暗視野画像や，暗視野画像の空間周波数の低周波成分画像などを用いても良い。正規化相関値の代わりにＳｔｅｐ６１０４で選択した領域との差分値が最小となる領域をＳｔｅｐ６１０４で選択した領域と同一の試料上の領域画像とする。また，位置合わせをせずに，視野のずれ量も含んだマッチングパターンや弁別境界を使用しても良い。
【００７６】
次に，フォーカス合わせについて述べる。フォーカス合わせ方法としては，検査範囲内もしくはその近傍にパターンやラフネス散乱光に埋もれない欠陥散乱光像が存在する場合は，それらの輝度値変化を用いフォーカス合わせを行う。しかし，フォーカス合わせに使用できるパターンやラフネス散乱光に埋もれない欠陥が存在しない場合，ラフネス散乱光分布変化を用いフォーカス合わせを行う，もしくは，他の高さ計測手段を用いる。他の計測手段としては，スリット投影式の高さ計測手段などがある。
【００７７】
次に，瞳フィルタについて述べる。瞳フィルタとは特許文献１に述べられている欠陥散乱光を優先的に透過し，ラフネス散乱光を遮光し，ラフネス散乱光に対する欠陥散乱光の比を上げる目的で，検出光学系の瞳面乃至瞳面近傍に配置される光学フィルタのことである。本発明においても，瞳フィルタは使用可能であり，瞳フィルタの光学特性は欠陥散乱光とラフネス散乱光の変化させる光学条件に対する敏感さに差が大きい瞳面上の領域や偏光を選択的に透過する光学特性である。
【００７８】
次に，図１１に，本発明における光学顕微鏡１０５（図１）を座標アライメント用に搭載したレビュー装置１００の構成の一例を示す。
【００７９】
本実施形態のレビュー装置は，被検査対象の試料１０１を搭載する試料ホルダ１０２，この試料ホルダ１０２を移動させて試料１０１の全面を走査電子顕微鏡１０６（以下ＳＥＭと記述）の下に移動可能なステージ１０３，試料１０１を詳細観察するＳＥＭ１０６，ＳＥＭ１０６の焦点を試料１０１の表面に合わせる為に試料１０１の表面の高さを検出する光学式高さ検出システム１０４，試料１０１の欠陥を光学的に検出して試料１０１上の欠陥の詳細位置情報を取得する光学顕微鏡１０５，ＳＥＭ１０６と光学顕微鏡１０５の対物レンズを収納する真空漕１１２，ＳＥＭ１０６および光学式高さ検出システム１０４および光学顕微鏡１０５を制御する制御システム１２５，ユーザインターフェース１２３，ライブラリ１２２，検査装置１０７等の上位システムへ接続するネットワーク１２１，検査装置１０７の外部データ等を保存し制御システムに与える記憶装置１２４，で構成されている。
【００８０】
ＳＥＭ１０６は，内部に電子線源１０６１，電子線源から発射された１次電子をビーム状に引き出して加速する引出電極１０６２，引出電極で引き出され加速された１次電子ビームの軌道を制御する偏向電極１０６３，偏向電極で軌道を制御された１次電子ビームを試料１０１の表面に収束させる対物レンズ電極１０６４，軌道を制御されて収束した１次電子ビームが照射された試料１０１から発生した２次電子を検出する２次電子検出器１０６５，収束した１次電子ビームが照射された試料１０１から発生した反射電子などの比較的高エネルギの電子を検出する反射電子検出器１０６６等を備えて構成されている。
【００８１】
光学顕微鏡１０５は，試料１０１に斜方から光を照射する照明光学系２０１，照明光学系２０１から光が照射された試料１０１の表面から発生した散乱光のうち試料１０１の上方に散乱した光を集光する集光光学系２１０，集光光学系で集光された試料１０１からの散乱光を検出する検出器２０７を備えて構成されている。
【００８２】
制御システム１２５は，ＳＥＭ１０６を制御するＳＥＭ制御部１２５１，光学顕微鏡を制御する光学顕微鏡制御部１２５２，レビュー装置１００全体を制御する全体制御部１２５６を備えている。
【００８３】
また，ステージ１０３，光学式高さ検出システム１０４，光学顕微鏡１０５，ＳＥＭ１０６，ユーザインターフェース１２３，ライブラリ１２２，記憶装置１２４，は制御システム１２５と接続され，制御システム１２５はネットワーク１２１を介して上位のシステム（例えば、検査装置１０７）と接続されている。
【００８４】
以上のように構成されるレビュー装置１００において，特に，光学顕微鏡１０５は検査装置１０７で検出された試料１０１上の欠陥を検査装置１０７で検出した欠陥の位置情報を用いて再検出（以下検出と記述）する機能を有し，光学式高さ検出システム１０４はＳＥＭ１０６の１次電子ビームを試料１０１の表面に収束させるための１次電子ビームの焦点合わせを行う焦点合わせ手段としての機能を有し，制御システム１２５は光学顕微鏡１０５で検出された欠陥の位置情報に基づいて他の検査装置で検査して検出された欠陥の位置情報を補正する位置補正手段としての機能を有し，ＳＥＭ１０６は制御システム１２５で位置情報を補正された欠陥を観察する機能を有する構成となっている。ステージ１０３は，試料１０１を載置して，光学顕微鏡１０５で検出した欠陥がＳＥＭ１０６で観察できるように，光学顕微鏡１０５とＳＥＭ１０６との間を移動する。
【００８５】
図１２を用い，欠陥観察処理フロー例について説明する。まず，試料１０１の粗アライメントを行う。これは光学顕微鏡１０５の明視野観察にて行う（Ｓｔｅｐ６００１）。次に，検査装置１０７で取得した欠陥座標を基にレビュー装置１００で予め他の検査装置１０７によって検出された欠陥の位置情報を用いて試料１０１上の観察したい欠陥が光学顕微鏡１０５の視野に入るようにステージ１０３を移動させる（Ｓｔｅｐ６００２）。次に高さ制御機構２０９にて対物レンズ２０２を移動させて焦点合わせを行う（Ｓｔｅｐ６００３）。次に，光学顕微鏡１０５と撮像素子２０７にて取得した画像を取得する（Ｓｔｅｐ６００４）。
【００８６】
Ｎ枚の異なる光学条件の画像を取得するまで（Ｓｔｅｐ６００５−ＮＯ），光学条件を変更し（Ｓｔｅｐ６００６），光学顕微鏡２０５と撮像素子２０７にて画像を取得する（Ｓｔｅｐ６００３），Ｎ枚の画像を取得したら（Ｓｔｅｐ６００５−ＹＥＳ），Ｎ枚画像を用い画像間特徴量を導出し（Ｓｔｅｐ６００７），導出した画像間特徴量を用い欠陥とラフネスを弁別し（Ｓｔｅｐ６００８），欠陥候補の欠陥座標と欠陥らしさ値を導出する（Ｓｔｅｐ６００９）。他の欠陥を検出する必要がなければ，光顕での欠陥検出を終了する。そして，欠陥らしさ値が最大の欠陥候補の欠陥座標をＳＥＭ１０６の視野へ移動し（Ｓｔｅｐ６０１０），観察を行う（Ｓｔｅｐ６０１１）。このとき，ＳＥＭ視野内に欠陥が存在する場合は，次の欠陥の観察（Ｓｔｅｐ６０１４―ＹＥＳ）もしくはＳＥＭ観察を終了（Ｓｔｅｐ６０１６）する。
【００８７】
欠陥らしさ値が最大の欠陥候補の欠陥座標に欠陥画存在しない場合（Ｓｔｅｐ６０１２−ＮＯ），次に欠陥らしさ値が大きい欠陥候補の欠陥座標をＳＥＭ１０６視野内に異動し（Ｓｔｅｐ６０１３），ＳＥＭで観察する（Ｓｔｅｐ６０１１）。欠陥を検出するまで，もしくは，欠陥らしさ値があるしきい値以上の欠陥候補が無くなるまで繰り返す。また，欠陥らしさ値がしきい値以上の欠陥候補がなく，かつ欠陥を検出出来なかった場合，観察視野内に欠陥が存在しない（虚報）という結果を出力する。
【００８８】
欠陥をＳＥＭで観察できた結果（Ｓｔｅｐ６０１２−ＹＥＳ）は，制御システム１２５へ送られ，データベース１２２に登録される。尚，観察すべき欠陥が多数ある場合には，そのうちの代表的な数点を抽出し，それら抽出した欠陥の予め他の検査装置１０７によって検出された位置情報と光学顕微鏡１０５で検出して得たそれぞれの欠陥の位置情報とから，予め他の検査装置１０７によって検出された欠陥の位置とＳＥＭ１０６の視野位置のずれ量を求める。この求めたずれ量の情報を用いて，代表的な数点以外の光学顕微鏡１０５で検出しなかった欠陥についても予め他の検査装置１０７で検出して得た位置情報を補正する。
【００８９】
次に，他の欠陥情報が必要な場合は（Ｓｔｅｐ６０１４−ＹＥＳ），他の検査装置１０７の出力結果から観察したい欠陥位置情報を取得し，上述した光学顕微鏡１０５へ欠陥を移動する手順へ戻り（Ｓｔｅｐ６０１５），処理を進める。なお，上述した欠陥検出手順で欠陥検出できなかった場合は，欠陥が光学顕微鏡１０５の視野の外にいることが考えられるため，光学顕微鏡１０５の視野周辺部を探索してもよい。周辺部を探索する場合は，視野に相当する分だけ試料１０１を移動し，上述した欠陥検出手順から処理を行う。また，周辺探索をしない場合は，手順に従って処理を進める。
【００９０】
また，ＳＥＭの観察結果を用い，画像取得時に変化させる光学条件の変化パラメータや，欠陥とラフネスを弁別するためのマッチングパターンや弁別境界へ素早いフィードバックが可能である効率よく弁別精度向上させることができる。
【００９１】
以上，本発明者によってなされた発明を実施形態に基づき具体的に説明したが，本発明は上記実施形態に限定されるものではなく，その要旨を逸脱しない範囲で種々変更可能であることはいうまでもない。
【００９２】
そこで，本発明では従来の課題を解決するために，複数の光学条件において取得された複数枚の画像を用い，欠陥を顕在化させ，欠陥座標を導出する方法，並びにこれを搭載した欠陥観察装置，欠陥検出装置を提供する。
【００９３】
従来ラフネス散乱光に埋もれ検出出来なかった微小欠陥を顕在化させることができ，光学式欠陥検出装置で検出した欠陥をＳＥＭ等によって詳細に観察する場合において，観察対象の微小欠陥を確実にＳＥＭ等の観察視野内に入れることができるようになり，ＳＥＭ等を用いた欠陥の詳細検査のスループットを上げることができる。
【符号の説明】
【００９４】
１０１…試料    １０２…試料ホルダ    １０３…ステージ    １０４…光学式高さ検出システム    １０５…光学顕微鏡    １０６…電子顕微鏡    １０７…検査装置    １１１…真空封し窓    １１２…真空槽    １２１…ネットワーク    １２２…ライブラリ    １２３…ユーザインターフェース    １２４…記憶装置    １２５…制御システム。
【図１】
0006369860.tif 000003
【図２】
0006369860.tif 000004
【図３】
0006369860.tif 000005
【図４】
0006369860.tif 000006
【図５】
0006369860.tif 000007
【図６】
0006369860.tif 000008
【図７】
0006369860.tif 000009
【図８】
0006369860.tif 000010
【図９】
0006369860.tif 000011
【図１０】
0006369860.tif 000012
【図１１】
0006369860.tif 000013
【図１２】
0006369860.tif 000014